【手続補正書】
【提出日】平成30年6月1日(2018.6.1)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
第1のデバイスにおいて、ミッションクリティカル(MiCri)データを要求する第2のデバイスからの要求メッセージを受信するステップと、
前記第1のデバイスから前記MiCriデータを前記第2のデバイスに、第1の搬送波成分の送信時間間隔(TTI)の間、または第2の搬送波成分の送信時間間隔(TTI)の間、送信するステップであって、前記第1の搬送波成分の前記TTIが前記第2の搬送波成分の前記TTIに時間的に部分的に重複され、それにより、前記第1の搬送波成分および前記第2の搬送波成分の部分的に重複される前記TTIの終了時間が異なる、ステップと
を含む、方法。
【請求項２】
前記MiCriデータを送信する前記ステップが、前記要求メッセージのタイミングに基づいて、前記第1の搬送波成分または前記第2の搬送波成分を介して前記MiCriデータを送信するステップを含む、請求項1に記載の方法。
【請求項３】
前記MiCriデータを送信する前記ステップが、第1のハイブリッド自動反復要求(HARQ)ブロックおよび第2のHARQブロックを送信するステップを含む、請求項2に記載の方法。
【請求項４】
前記第1の搬送波成分の前記TTIの間に、前記第1のHARQブロックおよび前記第2のHARQブロックが両方とも送信できると判定結果が示すと、前記第1の搬送波成分を介する前記MiCriデータの送信をスケジューリングするステップと、
前記第1の搬送波成分の前記TTIの間に、前記第1のHARQブロックおよび前記第2のHARQブロックが両方とも送信できないと判定結果が示すと、前記第2の搬送波成分を介する前記MiCriデータの送信をスケジューリングするステップと
をさらに含む、請求項3に記載の方法。
【請求項５】
前記第2のHARQブロックを送信するステップが、
前記第1のHARQブロックを送信するステップに応答して、前記第2のデバイスから否定応答(NACK)を受信するステップと、
前記NACKを受信する前記ステップに応答して、前記第2のHARQブロックを送信するステップと
を含む、請求項3に記載の方法。
【請求項６】
ダウンリンク制御搬送波成分を介して、前記MiCriデータについての前記要求を承諾する承諾メッセージを送信するステップをさらに含み、
前記MiCriデータを送信する前記ステップが、前記承諾メッセージとともに前記MiCriデータを送信するステップを含む、請求項1に記載の方法。
【請求項７】
前記第1の搬送波成分および前記第2の搬送波成分が、共通の送信帯域に含まれる、請求項1に記載の方法。
【請求項８】
前記第1の搬送波成分が第1の送信帯域に含まれ、前記第2の搬送波成分が前記第1の送信帯域と異なる第2の送信帯域に含まれる、請求項1に記載の方法。
【請求項９】
前記第1のデバイスにおいて、非MiCriデータを要求する前記第2のデバイスから別の要求メッセージを受信するステップと、
前記第1の搬送波成分の前記TTIと第2の搬送波成分の前記TTIとの中からの次に利用可能なTTIの間に、前記第1のデバイスから前記非MiCriデータを前記第2のデバイスに送信するステップと
をさらに含む、請求項1に記載の方法。
【請求項１０】
ワイヤレス通信のための方法であって、
第1のデバイスに第2のデバイスから、ミッションクリティカル(MiCri)データを要求する要求メッセージを送信するステップと、
前記第2のデバイスにおいて、前記第1のデバイスからの前記MiCriデータを、第1の搬送波成分の送信時間間隔(TTI)の間、または第2の搬送波成分の送信時間間隔(TTI)の間、受信するステップであって、前記第1の搬送波成分の前記TTIが前記第2の搬送波成分の前記TTIに時間的に部分的に重複され、それにより、前記第1の搬送波成分および前記第2の搬送波成分の部分的に重複される前記TTIの終了時間が異なる、ステップと
を含む、方法。
【請求項１１】
受信する前記ステップが、前記要求メッセージのタイミングに基づいて、前記第1の搬送波成分または前記第2の搬送波成分を介して前記MiCriデータを受信するステップを含む、請求項10に記載の方法。
【請求項１２】
前記MiCriデータを受信する前記ステップが、第1のハイブリッド自動反復要求(HARQ)ブロックおよび第2のHARQブロックを受信するステップを含む、請求項11に記載の方法。
【請求項１３】
前記MiCriデータを受信する前記ステップが、
前記第1の搬送波成分の前記TTIの間に、前記第1のHARQブロックおよび前記第2のHARQブロックが両方とも受信できると判定結果が示すと、前記第1の搬送波成分を介して前記MiCriデータを受信するステップと、
前記第1の搬送波成分の前記TTIの間に、前記第1のHARQブロックおよび前記第2のHARQブロックが両方とも受信できないと判定結果が示すと、前記第2の搬送波成分を介して前記MiCriデータを受信するステップと
を含む、請求項12に記載の方法。
【請求項１４】
前記第2のHARQブロックを受信するステップが、
前記第1のHARQブロックを受信するステップに応答して、前記第1のデバイスに否定応答(NACK)を送信するステップと、
前記NACKを送信する前記ステップに応答して、前記第2のHARQブロックを受信するステップと
を含む、請求項12に記載の方法。
【請求項１５】
ダウンリンク制御搬送波成分を介して、前記MiCriデータについての前記要求を承諾する承諾メッセージを受信するステップをさらに含み、
前記MiCriデータを受信する前記ステップが、前記承諾メッセージとともに前記MiCriデータを受信するステップを含む、請求項10に記載の方法。
【請求項１６】
前記第1の搬送波成分および前記第2の搬送波成分が、共通の受信帯域に含まれる、請求項10に記載の方法。
【請求項１７】
前記第1の搬送波成分が第1の受信帯域に含まれ、前記第2の搬送波成分が前記第1の受信帯域と異なる第2の受信帯域に含まれる、請求項10に記載の方法。
【請求項１８】
前記第2のデバイスから、非MiCriデータを要求する前記第1のデバイスへの別の要求メッセージを送信するステップと、
前記第2のデバイスにおいて、前記第1の搬送波成分の前記TTIと前記第2の搬送波成分の前記TTIとの中からの次に利用可能なTTIの間に、前記第1のデバイスから前記非MiCriデータを受信するステップと
をさらに含む、請求項10に記載の方法。
【請求項１９】
ミッションクリティカル(MiCri)データを要求する第1のデバイスからの要求メッセージを受信するように構成される受信器と、
前記第1のデバイスに前記MiCriデータを、第1の搬送波成分の送信時間間隔(TTI)の間、または第2の搬送波成分の送信時間間隔(TTI)の間、送信するように構成される送信器と
を備え、
前記第1の搬送波成分の前記TTIが前記第2の搬送波成分の前記TTIに時間的に部分的に重複され、それにより、前記第1の搬送波成分および前記第2の搬送波成分の部分的に重複される前記TTIの終了時間が異なる、基地局。
【請求項２０】
前記送信器が、前記要求メッセージのタイミングに基づいて、前記第1の搬送波成分または前記第2の搬送波成分を介して前記MiCriデータを送信するように構成される、請求項19に記載の基地局。
【請求項２１】
前記MiCriデータを送信するために、前記送信器が第1のハイブリッド自動反復要求(HARQ)ブロックおよび第2のHARQブロックを送信するように構成される、請求項20に記載の基地局。
【請求項２２】
前記第1の搬送波成分の前記TTIの間に、前記第1のHARQブロックおよび前記第2のHARQブロックが両方とも送信できると判定結果が示すと、前記第1の搬送波成分を介する前記MiCriデータの送信をスケジューリングし、
前記第1の搬送波成分の前記TTIの間に、前記第1のHARQブロックおよび前記第2のHARQブロックが両方とも送信できないと判定結果が示すと、前記第2の搬送波成分を介する前記MiCriデータの送信をスケジューリングする
ように構成されるスケジューラをさらに備える、請求項21に記載の基地局。
【請求項２３】
前記受信器が、非MiCriデータを要求する前記第1のデバイスからの別の要求メッセージを受信するように構成され、
前記送信器が、前記第1の搬送波成分の前記TTIと第2の搬送波成分の前記TTIとの中からの次に利用可能なTTIの間に、前記非MiCriデータを送信するように構成される、請求項19に記載の基地局。
【請求項２４】
ミッションクリティカル(MiCri)データを要求する第1のデバイスに、要求メッセージを送信するように構成される送信器と、
前記第1のデバイスからの前記MiCriデータを、第1の搬送波成分の送信時間間隔(TTI)の間、または第2の搬送波成分の送信時間間隔(TTI)の間、受信するように構成される受信器と
を備え、
前記第1の搬送波成分の前記TTIが前記第2の搬送波成分の前記TTIに時間的に部分的に重複され、それにより、前記第1の搬送波成分および前記第2の搬送波成分の部分的に重複される前記TTIの終了時間が異なる、ユーザ機器(UE)。
【請求項２５】
前記受信器が、前記要求メッセージのタイミングに基づいて、前記第1の搬送波成分または前記第2の搬送波成分を介して前記MiCriデータを受信するように構成される、請求項24に記載のユーザ機器。
【請求項２６】
前記受信器が、第1のハイブリッド自動反復要求(HARQ)ブロックおよび第2のHARQブロックとして前記MiCriデータを受信するように構成される、請求項25に記載のユーザ機器。
【請求項２７】
前記受信器が、前記第1の搬送波成分の前記TTIの間に、前記第1のHARQブロックおよび前記第2のHARQブロックが両方とも受信できると判定結果が示すと、前記第1の搬送波成分を介して前記MiCriデータを受信するように構成され、
前記第1の搬送波成分の前記TTIの間に、前記第1のHARQブロックおよび前記第2のHARQブロックが両方とも受信できないと判定結果が示すと、前記第2の搬送波成分を介して前記MiCriデータを受信するように構成される、請求項26に記載のユーザ機器。
【請求項２８】
前記送信器が、前記第1のHARQブロックを受信することに応答して、前記第1のデバイスに否定応答(NACK)を送信するように構成され、
前記受信器が、前記NACKを送信することに応答して、前記第2のHARQブロックを受信するように構成される、請求項26に記載のユーザ機器。
【請求項２９】
前記受信器が、前記MiCriデータの前記要求を承諾する承諾メッセージを受信し、前記承諾メッセージとともに前記MiCriデータを受信するように構成される、請求項24に記載のユーザ機器。
【請求項３０】
前記送信器が、非MiCriデータを要求する前記第1のデバイスに、別の要求メッセージを送信するように構成され、
前記受信器が、前記第1の搬送波成分の前記TTIと第2の搬送波成分の前記TTIとの中からの次に利用可能なTTIの間に、前記第1のデバイスから前記非MiCriデータを受信するように構成される、請求項24に記載のユーザ機器。